(57)【要約】【課題】長板を確実に仮支持した後に簡単に撤去できると共に、施工面に長板が直接に接触するのを阻止できる長板用仮支持具の提供。【解決手段】内側に形成した板装着用空間Ｓの周囲を包囲する抱持状態から板装着用空間Ｓの周囲の前面Ｓ１側、上面Ｓ２側及び背面Ｓ３側の少なくとも一面を開放する撤去可能状態まで変形可能な板保持部２０と、板保持部２０から延びた脚部３０とを備える長板用仮支持具１０。【選択図】図３
2008086403.tif 000002
【特許請求の範囲】
【請求項１】
長板を仮支持するための長板用仮支持具において、内側に形成した板装着用空間の周囲を包囲する抱持状態から板装着用空間の周囲の前面側、上面側及び背面側の少なくとも一面を開放する撤去可能状態まで変形可能な板保持部と、板保持部から延びた脚部とを備えたことを特徴とする長板用仮支持具。
【請求項２】
前記板保持部は、前記板装着用空間の周囲の前面側、上面側及び背面側を包囲するための、折れ線部を介して連接した前面用覆い片、上面用覆い片及び背面用覆い片を備え、前記脚部に対して、前面用覆い片及び背面用覆い片の何れか一方の覆い片を連接すると共に他方の覆い片を分離可能に連結し、他方の覆い片を連結して前記抱持状態を得るようにし、また他方の覆い片を分離して前記撤去可能状態を得るようにした請求項１記載の長板用仮支持具。
【請求項３】
前記板保持部は、前記板装着用空間の小口面側を覆う小口面用覆い片を備えている請求項２記載の長板用仮支持具。
【請求項４】
前記脚部に、前記抱持状態の他方の覆い片が無理バメ状態で差し込まれる仮止め用スリットを形成した請求項２又は３記載の長板用仮支持具。
【発明の詳細な説明】
【技術分野】
【０００１】
本発明は、カウンターや棚板等を構成する長板を取付け施工する途中で一時的に仮支持する長板用仮支持具に関する。
【背景技術】
【０００２】
従来の長板用仮支持具は、非特許文献１に記載されたものがある。
【非特許文献１】「手洗器付埋込収納棚  施工説明書」株式会社ＩＮＡＸ、２００３年４月版、ｐ２、３
【０００３】
図７及び図８は、非特許文献１に記載された従来の長板用仮支持具を示すものであって、図７はキャビネットに手洗器を取付ける状態を示す分解斜視図であり、図８は手洗い器付きキャビネットを壁面に取付け施工する途中の状態を示す斜視図である。
【０００４】
図７及び図８に示す如く、長板用仮支持具１００は、トイレ等の施工面１に沿って設置される手洗器付きキャビネット５０を仮支持するのに用いられ、段ボールの２箇所を折り曲げて座屈変形しにくくしてある。
【０００５】
前記手洗器付きキャビネット５０は、キャビネット本体６０に、長板からなるカウンター７０と手洗器８０と水栓９０とを取付けている。前記キャビネット本体６０は、施工面１に形成した埋込み用穴１ａに埋め込みされる背面側の埋込み部６１と、手洗器８０及び水栓９０が取付けられ埋込み用穴１ａを覆蓋する基板６２と、カウンター７０の一方側（左側）を支持する脚部６３、６３とを備える。
【０００６】
前記カウンター７０は、底面７０ａ、前面７０ｂ、上面７０ｃ、背面７０ｄ、小口７０ｅが形成された左右に長く延びた長板からなる。カウンター７０は、その左側がキャビネット本体６０の脚部６３、６３に取付けられて支持されると共に、その中央及び右側の底面７０ａに連結したブラケット７１、７２を介して施工面１で支持されて、施工面１に沿って左右水平に施工される。前記手洗器８０は、カウンター７０の左側に載置され、その裏面側が基板６２にビス止めされる。
【０００７】
前記手洗器付きキャビネット５０は、下記の手順で施工される。
（１）予め、施工面１に埋込み用穴１ａを形成すると共に、水栓９０をキャビネット本体６０の基板６２に取付け、カウンター７０の底面７０ｅにブラケット７１、７２をビス止め等で連結する。
（２）次に、カウンター７０の底面７０ａの右側に長板用仮支持具１００を粘着テープ（図示省略）で仮止めする。
（３）続いて、カウンター７０の右側を長板用仮支持具１００で支持した状態で、カウンター７０の左側をキャビネット本体６０の脚部６３、６３に取付ける。
（４）そして、カウンター７０を脚部６３、６３及び長板用仮支持具１００で支持した状態で、前記手洗器８０をカウンター７０の左側に載置し、その裏面側を基板６２にビス止め（図示省略）する。
（５）長板用仮支持具１００を粘着テープでカウンター７０に仮止めした状態のまま、キャビネット５０全体を施工面１側へ持運びして、埋込み部６１を前記埋込み用穴１ａに嵌入させ、カウンター７０を脚部６３、６３及び長板用仮支持具１００で支持した状態で、ブラケット７１、７２を施工面１にビス止め（図示省略）する。
（６）最後に、長板用仮支持具１００を仮止めする粘着テープをカウンター７０の底面７０ａから剥がして長板用仮支持具１００を撤去し、キャビネット５０の施工を完了する。
【発明の開示】
【発明が解決しようとする課題】
【０００８】
しかし、非特許文献１に記載された長板用仮支持具１００は、次の２つの問題があった。１つ目の問題は、長板用仮支持具１００は、カウンター７０の底面７０ａに粘着テープで仮止めした状態であるため、上記施工手順（３）〜（５）において、粘着テープの剥がれでカウンター７０から分離しカウンター７０を不意に転倒させる等して、円滑な施工を阻害することがあった。２つ目の問題は、上記施工手順（５）において、カウンター７０が施工面１に直接に当たって、施工面１を傷つけることがあった。
【０００９】
本発明は、上記課題を解決するために、施工面に長板（カウンター）を取付け施工するときに、長板を確実に仮支持した後に簡単に撤去できると共に、施工面に長板が直接に接触するのを阻止できる長板用仮支持具の提供を目的とする。
【課題を解決するための手段】
【００１０】
上記問題を解決するために請求項１記載の本発明が採用した手段は、長板を仮支持するための長板用仮支持具において、内側に形成した板装着用空間の周囲を包囲する抱持状態から板装着用空間の周囲の前面側、上面側及び背面側の少なくとも一面を開放する撤去可能状態まで変形可能な板保持部と、板保持部から延びた脚部とを備えたことを特徴とする長板用仮支持具である。
【００１１】
撤去を簡単にするために請求項２記載の本発明が採用した手段は、前記板保持部は、前記板装着用空間の周囲の前面側、上面側及び背面側を包囲するための、折れ線部を介して連接した前面用覆い片、上面用覆い片及び背面用覆い片を備え、前記脚部に対して、前面用覆い片及び背面用覆い片の何れか一方の覆い片を連接すると共に他方の覆い片を分離可能に連結し、他方の覆い片を連結して前記抱持状態を得るようにし、また他方の覆い片を分離して前記撤去可能状態を得るようにした請求項１記載の長板用仮支持具である。
【００１２】
長板の小口が施工面に直接に接触するのを阻止するために請求項３記載の本発明が採用した手段は、前記板保持部は、前記板装着用空間の小口面側を覆う小口面用覆い片を備えている請求項２記載の長板用仮支持具である。
【００１３】
長板の仮支持を確実なものにするために請求項４記載の本発明が採用した手段は、前記脚部に、前記抱持状態の他方の覆い片が無理バメ状態で差し込まれる仮止め用スリットを形成した請求項２又は３記載の長板用仮支持具である。
【発明の効果】
【００１４】
請求項１記載の本発明に係る長板用仮支持具は、施工途中にあっては、板装着用空間に入っている長板を板保持部で抱持しつつ、板保持部を介して脚部で支持することで、長板を確実に仮支持できる。又、施工中の長板の周囲を板保持部が抱持して養生するので、施工面に板保持部を介して長板を当接させ、長板が施工面に直接に接触するのを阻止できるので、施工面に傷をつけることがない。又、板保持部を撤去可能状態に変形させて、板装着用空間の開放した面を長板が通過するよう長板用仮支持具を移動させて、施工中の長板から長板用仮支持具を簡単に撤去できる。
【００１５】
請求項２記載の本発明に係る長板用仮支持具は、板保持部が、脚部に他方の覆い片を連結することで、板装着用空間に入っている長板を抱持でき、また、脚部から他方の覆い片を分離することで、板装着用空間を開放して施工中の長板から簡単に撤去できる。
【００１６】
なお、請求項２記載の本発明に係る長板用仮支持具において、脚部に対して、前面用覆い片を連接すると共に背面用覆い片を分離可能に連結し、背面用覆い片を連結して抱持状態を得るようにし、また背面用覆い片を分離して撤去可能状態を得るように構成した場合には、撤去可能状態で板装着用空間の背面側が開放されるので、長板用仮支持具は手前側に引出すだけで施工中の長板から撤去できる。
【００１７】
請求項３記載の本発明に係る長板用仮支持具は、長板の小口が小口用覆い片で覆われて養生されるので施工面に直接に接触するのを阻止できるので、施工面を傷つけることがない。
【００１８】
請求項４記載の本発明に係る長板用仮支持具は、抱持状態の他方の覆い片が脚部から分離しにくく確実に長板を仮支持できるので、長板を円滑に施工できる。
【発明を実施するための最良の形態】
【００１９】
本発明に係る長板用仮支持具（以下、「本発明仮支持具」という。）を実施の形態を示す図面に基いて説明する。
【００２０】
図１乃至図６は、本発明仮支持具の実施の形態を示すものである。図１は手洗器付きキャビネットを組立てる途中の状態を示すものであって、図１（Ａ）はカウンターに装着する前の本発明仮支持具を示す分解斜視図であり、図１（Ｂ）は板装着用空間Ｓの回りを閉じた状態の本発明仮支持具をカウンターに装着する前の状態を示す分解斜視図である。図２は手洗器付きキャビネットを施工面に取付け施工する途中の状態を示すものであって、図２（Ａ）は抱持状態の本発明仮支持具でカウンターを支持している斜視図であり、図２（Ｂ）は撤去可能な状態の本発明仮支持具を示す斜視図であり、図２（Ｃ）は図２（Ｂ）とは別態様の撤去可能な状態の本発明仮支持具を示す斜視図である。図３は、本発明仮支持具の要部を拡大した右側断面図であって、本発明仮支持具の抱持状態を２点鎖線で示すと共に本発明仮支持具の撤去可能状態を実線で示すものである。図４は、手洗器付きキャビネットを施工面に取付け施工する途中の状態の要部を示すものであって、カウンターに取付けたブラケットの部分を縦断した右側断面図である。図５は、一枚の段ボールで形成される本発明仮支持具を平面に展開した展開図である。図６は、本発明仮支持具を示すものであって、図６（Ａ）は本発明仮支持具の組立途中を示した斜視図であり、図６（Ｂ）は本発明仮支持具の撤去可能状態を示す斜視図であり、図６（Ｃ）は本発明仮支持具の抱持可能な状態を示す斜視図であり、図６（Ｄ）は本発明仮支持具の抱持可能な状態を別角度から見た斜視図である。
【００２１】
予め断っておくが、図１〜図６に示す符号のうち、図７及び図８と同一のもの（例えば符号５０、６０、７０等）は、同一の構成部材（手洗器付きキャビネット５０、キャビネット本体６０、カウンター７０等）を示しており、図７及び図８を用いて既に説明した同一の構成部材についてここで繰り返して説明するのを省略する。
【００２２】
本発明仮支持具１０は、長板からなるカウンター７０を仮支持するものであり、内側にカウンター７０（長板）を装着するための板装着用空間Ｓが形成された板保持部２０と、板保持部２０から延びた脚部３０とを備え、板保持部２０で抱持したカウンター７０を脚部３０で支持するようにしてある。板保持部２０は、図３に示す如く、板装着用空間Ｓの周囲を包囲する抱持状態（図中３の２点鎖線を参照）から、板装着用空間Ｓの少なくとも背面Ｓ３側を開放する撤去可能状態（図中３の実線を参照）まで変形できるものである。
【００２３】
前記本発明仮支持具１０は、紙や樹脂製の段ボールで製作されるのが最も一般的と考えられるが、厚板の板紙や樹脂板等で製作することも可能である。本例の本発明仮支持具１０は、図５及び図６に示す如く、成形した一枚の板材（本例では段ボール）を折曲げて組立てることで上方の板保持部２０及び下方の脚部３０を一体に形成してある。
【００２４】
前記板保持部２０は、図３に示す如く、板装着用空間Ｓの周囲の前面Ｓ１側、上面Ｓ２側、背面Ｓ３側、底面Ｓ４側を包囲するための、前面用覆い片２１、上面用覆い片２２、背面用覆い片２３及び底面用覆い片２４、並びに、板装着用空間Ｓの小口側を覆うための小口用覆い片２５（図２（Ａ）参照）を備える。展開した図５に示す如く、前面用覆い片２１及び上面用覆い片２２は折れ線部２０ａを介して連接されており、上面用覆い片２２及び背面用覆い片２３は折れ線部２０ｂを介して連接されており、前面用覆い片２１及び小口用覆い片２５は折れ線部２０ｃを介して連接されている。底面用覆い片２４は、折れ線部２４ａを介して差込片２６が連接されている。背面用覆い片２３は、図３に示す如く、板装着用空間Ｓの背面Ｓ３側を覆う覆部２３ａと該覆部２３ａに一体に連接された連結部２３ｂとが形成されている。
【００２５】
前記脚部３０は、図５に示す如く、前板３１と、前板３１の両側方に折れ線部３０ａ、３０ｂを介して連接する側板３２、３３と、側板３２に折れ線部３０ｃを介して連接した背板３４と、側板３３に折れ線部３０ｄを介して連接した背板３５と、前板３１に折れ線部３０ｅを介して連接する底板３６と、背板３４に折れ線部３４ａを介して連接した突合せ片３７と、背板３５に折れ線部３５ａを介して連接した突合せ片３８と、底板３６に折れ線部３６ａを介して連接した差込片３９とを備え、図６に示す如く組立てられる。
【００２６】
本例の前記板保持部２０と前記脚部３０との関係は、図３に示す如く、脚部３０の前板３１に板保持部２０の前面用覆い片２１を連接して一体にすると共に、脚部３０の背板３４、３５に板保持部２０の背面用覆い片２３を分離可能に連結し、また、図５に示す如く、脚部３０の側板３２に板保持部２０の小口用覆い片２５を連接すると共に、脚部３０の側板３３に板保持部２０の底面用覆い片２４を折れ線部２０ｄを介して連接した構成となっている。
【００２７】
脚部３０は、図５に示す如く、背板３４と突合せ片３７との境界上端側、及び、背板３５と突合せ片３８との境界上端側に、板保持部２０の背面用覆い片２３の連結部２３ｂを無理バメ状態で差込みできるスリット４０ａが形成されている。又、脚部３０は、背板３４と突合せ片３７との境界下端側、及び、背板３５と突合せ片３８との境界下端側に、底板３６の差込片３９を無理バメ状態で差込みできるスリット４０ｂが形成されている。又、脚部３０は、突合せ片３７、３８の上端側に、板保持部２０の底面用覆い片２４の差込片２６を無理バメ状態で差込みできるスリット４０ｃが形成されている。本例では、スリット４０ａ、４０ｂ及び４０ｃの幅寸法を前記の板材（段ボール）の厚みよりも若干狭くすることで、スリット４０ａ、４０ｂ及び４０ｃに差込んだ連結部２３ｂ、差込片３９及び差込片２６をスリット４０ａ、４０ｂ及び４０ｃを形成する縁部で挟持して突合せ片３７又は３８で保持し、前記無理バメ状態にしてスリット４０ａ、４０ｂ及び４０ｃから連結部２３ｂ、差込片３９及び差込片２６を抜けにくくしているが、この他には、連結部２３ｂ、差込片３９及び差込片２６に係止部（例えば、連結部２３ｂ、差込片３９及び差込片２６の先端側に形成した係止スリット。該係止スリットは、それぞれ、スリット４０ａ、４０ｂ及び４０ｃに嵌入されて突合せ片３７、３８を挟んで係止する。）を設けてもよい。
【００２８】
本発明仮支持具１０を図５に示す展開状態から図６（Ｂ）に示す撤去可能状態まで組立てるには、先ず、前板３１及び側板３２、前板３１及び側板３３、側板３２及び背板３４、側板３３及び背板３５、背板３４及び突合せ片３７、並びに、背板３５及び突合せ片３８、が互いに直角になるように各折れ線部３０ａ、３０ｂ、３０ｃ、３０ｄ、３４ａ、３５ａで折曲げて、突合せ片３７、３８どうしを突き合わす（図６（Ａ）参照）。次に、前板３１及び底板３６、並びに、底板３６及び差込片３９が、互いに直角になるように折れ線部３０ｅ、３６ａで折り曲げつつ、スリット４０ｂに差込片３９を差し込む。最後に、底面用覆い片２４及び差込片２６、並びに、側板３３及び底面用覆い片２４、が互いに直角になるように折れ線部２４ａ、２０ｄで折り曲げつつ、スリット４０ｃに差込片２６を差し込んで、中空状の脚部３０を完成させる。
【００２９】
手洗器付きキャビネット５０は本発明仮支持具１０を用いて下記の手順で施工される。
【００３０】
（１）第１工程（準備工程）：予め、施工面１に埋込み用穴１ａを形成すると共に、水栓９０をキャビネット本体６０の基板６２に取付け、カウンター７０の底面７０ｅにブラケット７１、７２をビス止め等で取付ける。
【００３１】
（２）第２工程（仮支持工程）：次に、本発明仮支持具１０で、カウンター７０を仮支持する。詳しく説明すると、図１（Ａ）に示す如く、先ず、板装着用空間Ｓを開放した状態に変形した本発明仮支持具１０に上面Ｓ２側及び背面Ｓ３側からカウンター７０を板装着用空間Ｓに挿入して、カウンター７０の底面７０ａを板保持部２０の底面用覆い片２４に載置し、前面用覆い片２１及び小口用覆い片２５に当接させる。そして、前面用覆い片２１及び上面用覆い片２２、並びに、上面用覆い片２２及び背面用覆い片２３が、互いに直角になるように折れ線部２０ａ、２０ｂで折り曲げつつ、スリット４０ａに背面用覆い片２３を差し込むことで、背面用覆い片２３を脚部３０の奥側に連結して本発明支持具１０を抱持状態に変形し、本発明仮支持具１０でカウンター７０を仮支持する。
【００３２】
（３）第３工程（カウンター７０の取付け工程）：続いて、カウンター７０の右側を本発明仮支持具１０で支持した状態で、カウンター７０の左側をキャビネット本体６０の脚部６３、６３に取付ける。
【００３３】
（４）第４工程（手洗器８０の取付け工程）：そして、カウンター７０を脚部６３、６３及び本発明仮支持具１０で支持した状態で、前記手洗器８０をカウンター７０の左側に載置し、その裏面側を基板６２にビス止め（図示省略）する。
【００３４】
（５）第５工程（キャビネット５０の仮止め工程）：次に、本発明仮支持具１０でカウンター７０を抱持した状態のまま、キャビネット５０全体を施工面１側へ持運びして、埋込み部６１を前記埋込み用穴１ａに嵌入させる。続けて、ブラケット７１、７２のビス挿通用孔に挿通したビス７３（図４参照）を施工面１へ途中までねじ込み、カウンター７０の背面７０ｄと施工面１との間に本発明仮支持具１０の背面側の厚み寸法Ｗ（すなわち、板保持部２０の背面用覆い片２３の厚みと脚部３０の背板３４の厚みとの合計寸法）よりも大きな隙間を形成する仮止めした状態にする。カウンター７０をこのように仮止めすることで、次の第６工程（撤去工程）で背面用覆い片２３を抜き取りやすくできる。
【００３５】
（６）第６工程（本発明仮支持具１０の撤去工程）：壁面１にブラケット７１、７２で仮止めした施工途中のカウンター７０から本発明仮支持具１０を撤去するには、先ず、スリット４０ａから背面用覆い片２３を上方に抜き取って、上面用覆い片２２及び背面用覆い片２３を折れ線部２０ａ、２０ｂで折り曲げて奥側から手前側に旋回するように展開し、板装着用空間Ｓの少なくとも背面Ｓ３側を開放させた撤去可能状態に変形する。そして、本発明仮支持具１０を手前側に引抜いて仮止め状態のカウンター７０から撤去する。
【００３６】
（７）第７工程（キャビネット５０の取付け工程）：本発明支持具１０を撤去した前記状態で、ビス７３、７３…を締め付けてカウンター７０の背面７０ｄと施工面１との間の隙間を詰めていき、施工面１に手洗器付きキャビネット５０を取付けて、施工を完了する。
【００３７】
上述の如く、本発明仮支持具１０は、手洗器付きキャビネット５０の施工途中にあっては、板装着用空間Ｓに入っているカウンター７０を板保持部２０が抱持しつつ、板保持部２０を介して脚部３０が支持することで、カウンター７０を確実に仮支持できる。又、本発明仮支持具１０は、スリット４０ａに差し込まれた背面用覆い片２３が脚部３０から分離しにくいので、板保持部２０がカウンター７０を確実に抱持できる。
【００３８】
又、上述の如く、本発明仮支持具１０は、施工中のカウンター７０の、底面７０ａ、前面７０ｂ、上面７０ｃ、背面７０ｄ、小口７０ｅを、板保持部２０の、前面用覆い片２１、上面用覆い片２２、背面用覆い片２３と、底面用覆い片２４、小口用覆い片２５で覆って養生するので、施工面１に板保持部２０を介してカウンター７０を当接させ、カウンター７０が施工面１に直接に接触するのを阻止して施工面１に傷をつけることがない。
【００３９】
又、上述の如く、本発明仮支持具１０は、板保持部２０を撤去可能状態に変形させて、板装着用空間Ｓの開放した面をカウンター７０が通過するように移動させることで、施工中のカウンター７０から本発明仮支持具１０を簡単に撤去できる。
【００４０】
なお、板保持部２０は、撤去可能状態（図中３の実線を参照）で、板装着用空間Ｓの少なくとも背面Ｓ３側を開放できる構成であるが、この他に、図２（Ｃ）に示す如く、撤去可能状態で板装着用空間Ｓの前面Ｓ１側及び上面Ｓ２側を開放するようにした板保持部４５のような構成もある。該構成の板保持部４５は、脚部３０に対して、前面用覆い片２１を前板３１に分離可能に連結すると共に、背面用覆い片２３を背板３４、３５に折れ線部を介して連接する。該構成の板保持部４５は、前面用覆い片２１を脚部３０の前板３１に連結すると抱持状態を得て、また、前面用覆い片２１を脚部３０の手前側から奥側に旋回するように展開し、前面用覆い片２１が施工面１に近接させると、板装着用空間Ｓの前面Ｓ１側及び上面Ｓ２側を開放させた撤去可能状態を得る。該板保持部４５を備える本発明仮支持具１０は、上述の施工手順における第６工程（本発明仮支持具１０の撤去工程）において、板保持部４５を撤去可能状態に変形して、脚部３０を横に払って倒すか若しくは座屈させるか等して、板保持部４５の前面用覆い片２１、上面用覆い片２２、背面用覆い片２３を下側にずらしながら手前へ引抜けば施工中のカウンター７０から撤去できる。
【００４１】
また、上記の施工手順における第２工程（仮支持工程）においては、図１（Ａ）に示す如く、撤去可能状態の本発明仮支持具１０の板装着用空間Ｓにカウンター７０を挿入し、その後に、本発明仮支持具１０を抱持状態に変形して、カウンター７０を仮支持する例を示したが、これ以外に、図１（Ｂ）に示す如く、先ず予め、本発明仮支持具１０を抱持可能な状態に変形し、その後に、本発明仮支持具１０の板装着用空間Ｓにカウンター７０を強制的に挿入して仮支持するようにしてもよい。
【００４２】
また、本発明仮支持具１０は、本例では、単体で構成されカウンター７０の右側を仮支持しているが、これに限らず、２個で構成しカウンター７０の左右両側をそれぞれ個別に仮支持するようにしてもよい（図示省略）。
【００４３】
また、本例の本発明仮支持具１０は小口用覆い片２５が設けられているが、これ以外に、小口用覆い片２５を省略して、本発明仮支持具１０がカウンター７０の中央部分を仮支持できるようにすることもある。
【図面の簡単な説明】
【００４４】
【図１】本発明仮支持具の実施の形態を示すものであって、手洗器付きキャビネットを組立てる途中の状態を示すものであって、図（Ａ）はカウンターに装着する前の本発明仮支持具を示す分解斜視図であり、図（Ｂ）は板装着用空間の回りを閉じた状態の本発明仮支持具をカウンターへ装着する前の状態を示す分解斜視図である。
【図２】同実施の形態において、手洗い器付きキャビネットを施工面に取付け施工する途中の状態を示すものであって、図（Ａ）は抱持状態の本発明仮支持具でカウンターを支持している斜視図であり、図（Ｂ）は撤去可能な状態の本発明仮支持具を示す斜視図であり、図（Ｃ）は図（Ｂ）とは別態様の撤去可能な状態の本発明仮支持具を示す斜視図である。
【図３】同実施の形態において、本発明仮支持具の要部を拡大した右側断面図であって、本発明仮支持具の抱持状態を２点鎖線で示すと共に本発明仮支持具の撤去可能状態を実線で示すものである。
【図４】同実施の形態において、手洗器付きキャビネットを施工面に取付け施工する途中の状態の要部を示すものであって、カウンターに取付けたブラケットの部分を縦断した右側断面図である。
【図５】同実施の形態において、一枚の段ボールで形成される本発明仮支持具を平面に展開した展開図である。
【図６】同実施の形態において、本発明仮支持具を示すものであって、図（Ａ）は本発明仮支持具の組立途中を示した斜視図であり、図（Ｂ）は本発明仮支持具の撤去可能状態を示す斜視図であり、図（Ｃ）は本発明仮支持具の抱持可能な状態を示す斜視図であり、図（Ｄ）は本発明仮支持具の抱持状態を別角度から見た斜視図である。
【図７】従来の長板用仮支持具を示すものであって、キャビネットに手洗器を取付ける状態を示す分解斜視図である。
【図８】従来の長板用仮支持具を示すものであって、手洗い器付きキャビネットを壁面に取付け施工する途中の状態を示す斜視図である。
【符号の説明】
【００４５】
１０…長板用仮支持具  ２０…板保持部  ３０…脚部  
Ｓ…板装着用空間Ｓ  Ｓ１…前面  Ｓ２…上面  Ｓ３…背面
【図１】
2008086403.tif 000003
【図２】
2008086403.tif 000004
【図３】
2008086403.tif 000005
【図４】
2008086403.tif 000006
【図５】
2008086403.tif 000007
【図６】
2008086403.tif 000008
【図７】
2008086403.tif 000009
【図８】
2008086403.tif 000010